(57)【特許請求の範囲】
【請求項１】
第１の軸部材と、
前記第１の軸部材に対して軸方向に自由に支持される第２の軸部材と、
前記第２の軸部材の軸方向変位を回転変位に変換する変換手段と、
前記変換手段に接続し、前記回転変位により回転するロータと、
内部に前記ロータを回転可能に配置するとともに磁気粘性流体を密封した隔室と、
前記ロータの外周側に配置され、前記磁気粘性流体に対して磁界を作用させるコイルと、を備え、
前記コイルに印加する電流に応じて、前記ロータの回転抵抗となる磁気粘性流体の粘性を変化させて減衰力を変化させることを特徴とする磁気粘性流体緩衝器において、
前記ロータは、円筒状の本体部と、この本体部の外周面に環状の溝を形成する複数の鍔部とからなり、
前記コイルは、この鍔部の外周側に所定距離をもって取り囲むように、かつ、前記磁界が前記本体部の軸方向にあって前記複数の鍔部間の磁気粘性流体に対して直角方向に発生するように配置されることを特徴とする磁気粘性流体緩衝器。
【請求項２】
前記変換手段は、ボールネジ機構からなることを特徴とする請求項１に記載の磁気粘性流体緩衝器。
【請求項３】
前記第２の軸部材は、前記第１の軸部材に摺動自由に支持される筒部を備え、
前記ボールネジ機構は、前記筒部の内周面に嵌合するボールネジナットと、このボールネジナットに螺合して一端が前記筒部内に伸出するとともに、他端が前記第１の軸部材の底面に前記第２の軸部材の中心線回りに回転自在に支持されるボールネジ軸とを備え、
前記ロータは、前記ボールネジ軸に固定されることを特徴とする請求項２に記載の磁気粘性流体緩衝器。
【請求項４】
前記第１の軸部材内の一部を画成部材で軸方向に区画して前記隔室を画成し、
前記ロータは、前記隔室内に設置されることを特徴とする請求項１〜３の何れか１つに記載の磁気粘性流体緩衝器。
【請求項５】
前記ロータは、外径の異なる２種類の円板を軸方向に交互に積層してそれらの間に前記溝部を形成することを特徴とする請求項１〜４の何れか１つに記載の磁気粘性流体緩衝器。
【発明の詳細な説明】
【技術分野】
【０００１】
本発明は、磁界の作用によって粘性が変化する磁気粘性流体を利用した磁気粘性流体緩衝器の改良に関するものである。
【背景技術】
【０００２】
自動車等の車両に搭載される緩衝器として、磁界の作用によって粘度が変化する磁気粘性流体を用い、ピストン部に減衰力調整弁の代りに、コイルを配置し、そのコイルに電流を印加し、制御部を流れる磁気粘性流体の粘性を変化させることにより、減衰力を調整するようにした減衰力調整式緩衝器が種々提案されている（例えば、特許文献１参照）。
【０００３】
特許文献１の緩衝器では、コイルへの制御電流を小さくすると、磁気粘性流体の通路に作用する磁界が弱くなり、磁気粘性流体の粘度が低くなって減衰力が小さくなり、制御電流を大きくすると、通路に作用する磁界が強くなり、磁気粘性流体の粘度が高くなって、減衰力が大きくなる。
【特許文献１】米国特許第６２６０６７５号明細書
【発明の開示】
【発明が解決しようとする課題】
【０００４】
しかしながら、特許文献１の緩衝器では、緩衝器のシリンダ内に磁気粘性流体を充填するため、高価な磁気粘性流体を大量に必要とするとともに、緩衝器の重量が重くなるという課題がある。
【０００５】
本発明は上記の問題点に鑑みてなされたものであり、減衰力特性を維持したまま、磁気粘性流体の量を低減して重量の軽量化及び低コスト化を図る磁気粘性流体緩衝器を提供することを目的とする。
【課題を解決するための手段】
【０００６】
本発明は、第１の軸部材と、前記第１の軸部材に対して軸方向に自由に支持される第２の軸部材と、前記第２の軸部材の軸方向変位を回転変位に変換する変換手段と、前記変換手段に接続し、前記回転変位により回転するロータと、内部に前記ロータを回転可能に配置するとともに磁気粘性流体を密封した隔室と、前記ロータの外周側に配置され、前記磁気粘性流体に対して磁界を作用させるコイルと、を備え、前記コイルに印加する電流に応じて、前記ロータの回転抵抗となる磁気粘性流体の粘性を変化させて減衰力を変化させることを特徴とする磁気粘性流体緩衝器において、前記ロータは、円筒状の本体部と、この本体部の外周面に環状の溝を形成する複数の鍔部とからなり、前記コイルは、この鍔部の外周側に所定距離をもって取り囲むように、かつ、前記磁界が前記本体部の軸方向にあって前記複数の鍔部間の磁気粘性流体に対して直角方向に発生するように配置されることを特徴とする磁気粘性流体緩衝器である。
【発明の効果】
【０００７】
本発明によれば、第１の軸部材と第２の軸部材との間の相対変位に伴って回転するロータの回りに磁気粘性流体を密封する隔室を備えることで、磁気粘性流体の量を著しく減少させることができる。これにより、緩衝器の重量の軽量化と低コスト化を図ることができる。また、ロータ外周面に溝部を設けたので、ロータと磁気粘性流体との接触面積が増大し、抵抗が大きくなり、結果として減衰力を高めることができる。
【発明を実施するための最良の形態】
【０００８】
図１を参照して本発明の実施の形態である磁気粘性流体緩衝器１００について説明する。
【０００９】
本発明の磁気粘性流体緩衝器１００は、車軸を懸架する懸架装置に接続する外筒（第１の軸部材）１０と、車体に接続するロッド部材２２を備えたロッド（第２の軸部材）２０と、外筒１０とロッド２０との間での上下（軸）方向の直線変位をロッド２０の中心線回りの回転変位に変換する変換手段３０と、磁界の作用により磁気粘性流体１の粘性特性が変化して減衰力を生じる減衰力発生部４０とを備える。
【００１０】
外筒１０は、円筒状の円筒部材１１と、その底部開口端を閉止する蓋材１９と、円筒部材１１の中心線に直交するように中心線が配置されて蓋材１９に固定される環状のブラケット１２と、このブラケット１２に圧入されるゴムブッシュ１３と、第１円筒部材１１の開口端部近傍に設置され、ロッド２０を軸方向に摺動可能に支持する軸受１４とから構成される。
【００１１】
ロッド２０は、下側に開口端を配置した蓋付き円筒状の第２円筒部材２１と、第２円筒部材２１の蓋部に固定され、車体に接続される棒状のロッド部材２２とを第１円筒部材１１の中心線上に配置して構成される。
【００１２】
変換手段３０は、いわゆるボールネジ機構３０ａからなり、ボールネジナット３１がロッド２０の第２円筒部材２１の開口端部近傍の内周面に嵌合、固定される。また、ボールネジナット３１と螺合するボールネジ軸３２は、軸方向に配置されて一端が第２円筒部材２１内に伸出する。ボールネジ軸３２の先端部には不図示の雄ねじが形成され、この雄ねじ部にボールネジナット３１の伸び側の移動量を規制するためのストッパナット３３が螺合する。このストッパナット３３は、ストッパナット３３とボールネジナット３１とが接触する時の衝撃を軽減するための緩衝材３４を備える。緩衝材３４は、例えばウレタン材やゴム材から構成される。一方、ボールネジ軸３２の他端は、第１円筒部材１１の底面１６（図２参照）に配置された軸受１５により中心線回りに回転自在に支持される。
【００１３】
このような構成により、車体に対して車軸が上下方向に相対変位するのに伴い、外筒１０がロッド２０に対して軸方向変位すると、ボールネジ機構３０ａの作用により軸方向変位が中心線回りの回転変位に変換され、ボールネジナット３１に螺合するボールネジ軸３２が中心線回りに回転する。
【００１４】
図２は、減衰力発生部４０の詳細構成を示す図である。第１円筒部材１１内には、底面１６から軸方向に所定距離離れて区画部材４３が設置され、区画部材４３により第１円筒部材１１内に隔室４９を区画して形成し、この隔室４９の内部に磁気粘性流体１を充満させる。またこの隔室４９内に、ボールネジ軸３２と一体に回転するロータ４１を配置して磁気粘性流体１の粘性がロータ４１の回転の抵抗力となり、この抵抗力が緩衝器の減衰力となる。更に、この減衰力を運転状態によって変化させるために、磁気粘性流体１に磁界を作用させ、その粘性を変えられるようにしている。このため、ロータ４１の外周部に所定の間隙をもって配置され、配線４８を通じて外部電源から電流が印加される環状のコイル４２を備える。
【００１５】
また、磁気粘性流体１が外部へ漏洩するのを防止するため、区画部材４３と蓋材１９の内周面との間から磁気粘性流体１が漏洩するのを防止するＯリング４６と、ボールネジ軸３２の外周面とロータ４１との間に、この間隙から磁気粘性流体１が漏洩することを防止するＯリング４７と、区画部材４３に設けられて前記ロータ４１との間での磁気粘性流体１の漏洩を防止するシール４５を設ける。
【００１６】
ロータ４１は、ボールネジ軸３２の端部外周面に、その内周面が嵌合する円筒状の本体部５１と、この本体部５１から外径方向へ延出する円板状の複数の鍔部５２とからなり、この鍔部５２の外周側に所定距離をもって取り囲むようにコイル４２が配置される。
【００１７】
ここで、ロータ４１と区画部材４３と及び蓋材１９は、コイル４２への電流印加時の回転抵抗をより大きくするために磁性材料で構成されることが望ましい。
【００１８】
鍔部５２は、軸方向に所定間隔を持って配置されており、隣接する鍔部５２間に環状の溝部５３が複数形成され、鍔部５２と溝部５３のロータ４１の外周面の断面形状が櫛型となるように構成される。なお、ロータ４１は、製造方法を容易にするため、外径の異なる２種類の薄肉円板を軸方向に交互に積層して形成するようにしてもよい。
【００１９】
コイル４２は、第１円筒部材１１の内周側底面１６に接して配置され、このコイル４２上面に区画部材４３が軸方向から挿入されて磁気粘性流体１が充満される隔室４９が区画される。そしてこの隔室４９内にロータ４１が回転可能に配置される。
【００２０】
このように構成された減衰力発生部４０では、ボールネジ軸３２とともに回転するロータ４１の鍔部５２の周囲に磁気粘性流体１を満たす隔室４９が第１円筒部材１１内に区画されて、減衰力を生じる磁気粘性流体１の必要量を著しく低減し、重量の低減及び低コスト化を図ることができる。また、ロータ４１の外周面に溝部５３を設けたので、ロータ４１と磁気粘性流体１との接触面積が増大し、抵抗が大きくなり、結果として減衰力を高めることができる。
【００２１】
さらに緩衝器１００が長期間に渡って放置されたような場合に、磁気粘性流体１の量が多い場合には、分散している磁気粘性流体１内の鉄粉等の強磁性粒子が沈殿するため、十分撹拌されるまでの間、所期の減衰特性を発揮できないが、本発明のように使用する磁気粘性流体１の量が少ない場合には、撹拌時間が短縮され、早期に所期の減衰特性を得ることができる。
【００２２】
そしてコイル４２に電流が印加されると、図３に示すように磁界が軸方向に、言い換えると鍔部５２間の磁気粘性流体１に対して直角方向に発生する。図３に電流供給時の磁場の状態を示す。発生した磁界により磁気粘性流体１の粘性が変化し、電流値が大きいほど磁力が強まり磁気粘性流体１の粘性が高まる。緩衝器１００の伸縮に伴って、すなわち第１円筒部材１１に対してロッド２０が伸縮動作すると、ロータ４１が磁気粘性流体１内を回転し、このとき磁気粘性流体１の粘性がロータ４１の回転を抑制する抵抗力として作用することになり、この抵抗力が本発明の緩衝器１００の伸縮動作に対する減衰力となる。ここで、磁気粘性流体１は、コイル４２に印加される電流に応じて瞬時に粘性が変化し、電流が大きいほど粘性が高まり、高減衰力を生じ、したがって、電流値を制御することで、発生する減衰力を可変制御することができる。
【００２３】
本発明は上記の実施の形態に限定されずに、その技術的な思想の範囲内において種々の変更がなしうることは明白である。
【産業上の利用可能性】
【００２４】
本発明は、車両に搭載する磁気粘性流体緩衝器に適用することができる。
【図面の簡単な説明】
【００２５】
【図１】本発明を適用する磁気粘性流体緩衝器１００を示す断面図である。
【図２】減衰力発生部の詳細断面図である。
【図３】減衰力発生部の磁界の状態を説明する図である。
【符号の説明】
【００２６】
１    磁気粘性流体
１０    外筒
１１    第１円筒部材
２０    ロッド
２１    第２円筒部材
２２    ロッド部材
３０    変換手段
３１    ボールネジナット
３２    ボールネジ軸
３４    緩衝材
４０    減衰力発生部
４１    ロータ
４２    コイル
４３    区画部材
４５    シール
４９    隔室
５１    本体部
５２    鍔部
５３    溝部
１００    磁気粘性流体緩衝器
【図１】
0005086011.tif 000002
【図２】
0005086011.tif 000003
【図３】
0005086011.tif 000004